(57)【要約】【課題】  筒型及び箱型の高圧カットアウトの両方に対して汎用的に使用することができる保持具を提供することを課題とする。【解決手段】  長手方向が略水平な状態となるように電柱に取り付けられた腕金に筒型又は箱型の高圧カットアウトを取り付ける際に、前記腕金に取り付けられて前記高圧カットアウトを保持するように構成された保持具において、前記腕金に取り付けられた状態で、上端部が腕金よりも上方に位置するように上下方向に沿って形成された起立部と該起立部の上端部から略水平方向に延出するように形成された延出部とを備え、該延出部に連結された筒型又は箱型の高圧カットアウトのそれぞれを腕金から水平方向に離間した状態で保持するように構成された保持具本体と、該保持具本体を腕金に取り付けるための取付部とを備え、前記延出部に連結された高圧カットアウトとの間で放電を行なわせるための放電部材を延出部の下方位置に取り付け可能に構成されていることを特徴とする。【選択図】図４
2011142730.tif 000002
【特許請求の範囲】
【請求項１】
長手方向が略水平な状態となるように電柱に取り付けられた腕金に筒型又は箱型の高圧カットアウトを取り付ける際に、前記腕金に取り付けられて前記高圧カットアウトを保持するように構成された保持具において、
前記腕金に取り付けられた状態で、上端部が腕金よりも上方に位置するように上下方向に沿って形成された起立部と該起立部の上端部から略水平方向に延出するように形成された延出部とを備え、該延出部に連結された筒型又は箱型の高圧カットアウトのそれぞれを腕金から水平方向に離間した状態で保持するように構成された保持具本体と、該保持具本体を腕金に取り付けるための取付部とを備え、
前記延出部に連結された高圧カットアウトとの間で放電を行なわせるための放電部材を延出部の下方位置に取り付け可能に構成されていることを特徴とする保持具。
【請求項２】
前記取付部は、前記腕金を長手方向に略直交する方向から挟み込むように構成されていることを特徴とする請求項１に記載の保持具。
【請求項３】
前記取付部は、前記腕金を長手方向に略直交する方向から挟み込むように構成された一対の挟込部と、該一対の挟込部を連結する連結部とを備え、一対の挟込部と連結部とが一体的に形成されてなると共に、前記延出部と一体的に形成された前記起立部の下端部と一体的に連結されていることを特徴とする請求項１又は２に記載の保持具。
【請求項４】
前記放電部材は、前記延出部の下方位置に取り付けられた状態で、高圧カットアウトが連結される側へ突出するように構成されると共に、突出する方向の端部の高さ位置と突出量とを調節可能に構成されていることを特徴とする請求項１乃至３の何れか１項に記載の保持具。
【発明の詳細な説明】
【技術分野】
【０００１】
本発明は、電柱に取り付けられた腕金に筒型又は箱型の高圧カットアウトを取り付ける際に、腕金に取り付けられて高圧カットアウトを保持するように構成された保持具に関する。
【背景技術】
【０００２】
電柱に設置される配電設備の１つとして、高圧配電線からの電力を低圧化して一般需要者へ供給する変圧器が備えられている。この変圧器と高圧配電線との間の電路には、電路の開閉を行なったり、異常な高圧電流（サージ電流）が変圧器へ流れるのを防止したりするための高圧カットアウトが備えられている。
【０００３】
該高圧カットアウトの内部には、ヒューズ管が備えられており、サージ電流が高圧カットアウトに流れ込んだ際に、ヒューズが切れることによって電路が遮断されるように構成されている。また、高圧カットアウトには、サージ電流が流れ込んだ場合に、サージ電流を外部へ放電させる放電部が備えられているものがある。該放電部は、内部にＺｎＯ素子が備えられており、サージ電流が流れ込んだ際に、放電部から電柱側へサージ電流が放電されることで、変圧器へサージ電流が流れるのを防止するように構成されている。
【０００４】
前記高圧カットアウトは、筒形或いは箱形の形状を有するものが知られており、設置される環境に応じて、箱型と筒型の使い分けが成されている。例えば、塩害が発生する環境下では筒形の高圧カットアウトが使用され、その他の一般的な環境下では箱型の高圧カットアウトが使用されている。
【０００５】
前記箱型及び筒型の高圧カットアウトは、一般的に、電柱に備えられた腕金に取り付けられる。該腕金は、電柱に取り付けられた状態で、長手方向が水平な状態となるように電柱に取り付けられており、例えば、金属製の棒状体から構成されたものが知られている。
【０００６】
詳しくは、図７に示すように、筒型及び箱型の高圧カットアウトＡ１，Ａ２は、腕金Ｂに取り付けられる保持具Ｃ１，Ｃ２を介して腕金Ｂに取り付けられる。該保持具Ｃ１，Ｃ２は、高圧カットアウトＡ１，Ａ２に備えられた連結金具Ａ１１，Ａ２１に連結されるように構成されている。
【０００７】
具体的には、図７（ａ）に示すように、筒型の高圧カットアウトＡ１は、上下方向に沿って起立した状態で保持具Ｃ１に保持される。該保持具Ｃ１は、腕金Ｂよりも上方から水平方向に延出するように構成された延出部Ｃ１０を備え、該延出部Ｃ１０に筒型の高圧カットアウトＡ１に備えられた連結金具Ａ１１が連結されるように構成されている。つまり、保持具Ｃ１は、筒型の高圧カットアウトＡ１を腕金Ｂよりも上方で保持するように構成されている。
【０００８】
一方、図７（ｂ）に示すように、箱型の高圧カットアウトＡ２は、下端側が上端側よりも腕金Ｂ側に位置するように傾斜した状態で保持具Ｃ２に保持される。このため、筒型の高圧カットアウトＡ１を保持する保持具Ｃ１を用いて箱型の高圧カットアウトＡ２を保持しようとすると、箱型の高圧カットアウトＡ２の下端部が腕金Ｂや保持具Ｃ１に接触してしまう虞がある。このため、箱型の高圧カットアウトＡ２を保持する保持具Ｃ２は、腕金Ｂよりも下方から水平方向に延出するように構成された延出部Ｃ２０を備え、該延出部Ｃ２０に箱型の高圧カットアウトＡ２に備えられた連結金具Ａ２１が連結されるように構成されている。即ち、保持具Ｃ２は、箱型の高圧カットアウトＡ２を腕金Ｂよりも下方で保持するように構成されている（特許文献１参照）。
【０００９】
また、保持具Ｃ１，Ｃ２は、腕金Ｂを挟み込むようにして腕金Ｂに固定される。具体的には、保持具Ｃ１は、前記延出部Ｃ１０から下方に向かって垂下するように形成された垂下部Ｃ１１と、該垂下部Ｃ１１に間隔を空けて対向するように配置された対向板Ｃ１２とを備え、該垂下部Ｃ１１及び対向板Ｃ１２を貫通するように備えられたボルト部材Ｃ１３にナット部材Ｃ１４を螺合させて締め込むことで、垂下部Ｃ１１と該垂下部Ｃ１１との間の腕金Ｂを水平方向から挟み込むように構成されている。
【００１０】
一方、保持具Ｃ２は、腕金Ｂに上方から当接する上方当接部Ｃ２１と、腕金Ｂに下方から当接する下方当接部Ｃ２２とを備え、該上方当接部Ｃ２１及び下方当接部Ｃ２２を貫通するように備えられたボルト部材Ｃ２３にナット部材Ｃ２４を螺合させて締め込むことで、上方当接部Ｃ２１と下方当接部Ｃ２２との間に配置された腕金Ｂを上下方向から挟み込むように構成されている。
【００１１】
また、図７（ａ）に示すように、筒型の高圧カットアウトＡ１に放電部Ａ１３が備えられている場合、保持具Ｃ１には、放電部Ａ１３との間で放電を行なわせるための放電部材Ｃ１５が備えられる。該放電部材Ｃ１５は、垂下部Ｃ１１よりも放電部Ａ１３の先端部側に向かって突出するように備えられ、放電部Ａ１３の先端部との間に所定の間隔が形成されるように構成されている。一方、図７（ｂ）に示すように、箱型の高圧カットアウトＡ２に放電部Ａ２３が備えられている場合、放電部Ａ２３との間で放電を行なわせる放電部材Ａ２４は、連結金具Ａ２１と一体的に形成されている。
【先行技術文献】
【特許文献】
【００１２】
【特許文献１】実開平４−６４９２８号公報
【発明の概要】
【発明が解決しようとする課題】
【００１３】
しかしながら、上記のような保持具は、高圧カットアウトの種類に応じて、高圧カットアウトを保持する位置や腕金に固定する方法が異なるため、高圧カットアウトの種類に対応したものを選択して使用する必要がある。このため、高圧カットアウトと保持具との組み合わせを間違えてしまったり、腕金に固定する方法を間違えてしまったりする虞があり、高圧カットアウトを腕金に取り付ける際の作業性が悪いものとなっている。
【００１４】
そこで、本発明は、筒型及び箱型の高圧カットアウトの両方に対して汎用的に用いることができる保持具を提供することを課題とする。
【課題を解決するための手段】
【００１５】
本発明にかかる保持具は、長手方向が略水平な状態となるように電柱に取り付けられた腕金に筒型又は箱型の高圧カットアウトを取り付ける際に、前記腕金に取り付けられて前記高圧カットアウトを保持するように構成された保持具において、前記腕金に取り付けられた状態で、上端部が腕金よりも上方に位置するように上下方向に沿って形成された起立部と該起立部の上端部から略水平方向に延出するように形成された延出部とを備え、該延出部に連結された筒型又は箱型の高圧カットアウトのそれぞれを腕金から水平方向に離間した状態で保持するように構成された保持具本体と、該保持具本体を腕金に取り付けるための取付部とを備え、前記延出部に連結された高圧カットアウトとの間で放電を行なわせるための放電部材を延出部の下方位置に取り付け可能に構成されていることを特徴とする。
【００１６】
斯かる構成によれば、前記延出部に連結された状態の高圧カットアウトが腕金から水平方向に離間した状態となるように保持具本体が構成されていることで、高圧カットアウトが筒型であっても、箱型であっても、延出部に連結された状態で腕金や保持具と接触することがないため、筒型及び箱型の高圧カットアウトの双方に対して汎用的に使用することができる。このため、高圧カットアウトの種類に応じて保持具を選択する必要をなくすことができ、腕金に高圧カットアウトを取り付ける際の作業性を向上させることができる。
【００１７】
また、延出部よりも下方位置に放電部材が取り付け可能であることで、筒型の高圧カットアウトがＺｎＯ素子を備える放電部を備えている場合には、放電部材を取り付けて使用し、放電部を備えていない場合には、放電部材を取り外して使用することができる。また、箱型の高圧カットアウトを保持する場合には、箱型の高圧カットアウト自体が放電部材を備えているため、放電部材を取り付けずに使用することができる。即ち、必要に応じて放電部材の着脱を行なうことができ、放電部の有無に関わらず汎用的に使用することができる。
【００１８】
また、本発明にかかる保持具は、前記取付部が前記腕金を長手方向に略直交する方向から挟み込むように構成されていることが好ましい。
【００１９】
斯かる構成によれば、取付部が腕金を長手方向に略直交する方向から挟み込むように構成されていることで、容易に保持具を腕金に取り付けることができる。このため、高圧カットアウトを腕金に取り付ける際の作業性を向上させることができる。
【００２０】
また、本発明にかかる保持具は、前記取付部が前記腕金を長手方向に略直交する方向から挟み込むように構成された一対の挟込部と、該一対の挟込部を連結する連結部とを備え、一対の挟込部と連結部とが一体的に形成されてなると共に、前記延出部と一体的に形成された前記起立部の下端部と一体的に連結されていることが好ましい。
【００２１】
斯かる構成によれば、一対の挟込部と連結部とが一体的に形成された取付部が前記延出部と一体的に形成された前記起立部の下端部と一体的に連結されていることで、保持具の略全体が一体的に形成されるため、保持具を構成する部材を少なくすることができる。このため、保持具を組み立てる時間を削減することができ、高圧カットアウトを腕金に取り付ける際の作業性を向上させることができる。
【００２２】
また、本発明にかかる保持具は、前記放電部材が前記延出部の下方位置に取り付けられた状態で、高圧カットアウトが連結される側へ突出するように構成されると共に、突出する方向の端部の高さ位置と突出量とを調節可能に構成されていることが好ましい。
【００２３】
斯かる構成によれば、前記放電部材が高圧カットアウト側へ突出するように形成されると共に、突出する方向の端部（先端部）の高さ位置と突出量とを調整可能に構成されていることで、放電部材の先端部と高圧カットアウトとの間隔を所定の間隔に調整することができる。具体的には、前記放電部材は、高圧カットアウトに備えられた放電部との間で放電を行うように構成されているため、放電部材の先端部と放電部との間には放電が行なわれるために適した間隔（以下、放電間隔と記す）が必要となる。そこで、放電部材の先端部の高さ位置と突出量とを調整することで、高圧カットアウトの種類や製造メーカーの違いによって、放電間隔が異なる場合であっても、適切な放電間隔に調整することができ、高圧カットアウトの種類や製造メーカーの違いに影響されることなく汎用的に使用することができる。
【発明の効果】
【００２４】
以上のように、本発明によれば、筒型及び箱型の高圧カットアウトの両方に対して１つの保持具を汎用的に用いることができる。
【図面の簡単な説明】
【００２５】
【図１】（ａ）は、第１〜３実施形態に係る保持具が対象とする筒型の高圧カットアウトを示した側面図であり、（ｂ）は、箱型の高圧カットアウトを示した側面図。
【図２】第１実施形態に係る保持具を示した斜視図。
【図３】（ａ）は、第１実施形態に係る保持具と該保持具に取り付けられる放電部材を示した斜視図であり、（ｂ）は、（ａ）の保持具に放電部材が取り付けられた状態をしました斜視図。
【図４】（ａ）は、同実施形態に係る保持具を介して筒型の高圧カットアウトが腕金に取り付けられた状態を示す側面図であり、（ｂ）は、同実施形態に係る保持具を介して箱型の高圧カットアウトが腕金に取り付けられた状態を示す側面図。
【図５】（ａ）は、第２実施形態に係る保持具を介して筒型の高圧カットアウトが腕金に取り付けられた状態を示す側面図であり、（ｂ）は、同実施形態に係る保持具を介して箱型の高圧カットアウトが腕金に取り付けられた状態を示す側面図。
【図６】（ａ）は、第３実施形態に係る保持具を介して筒型の高圧カットアウトが腕金に取り付けられた状態を示す側面図であり、（ｂ）は、同実施形態に係る保持具を介して箱型の高圧カットアウトが腕金に取り付けられた状態を示す側面図。
【図７】（ａ）は、従来の保持具を介して筒型の高圧カットアウトが腕金に取り付けられた状態を示す側面図であり、（ｂ）は、従来の保持具を介して箱型の高圧カットアウトが腕金に取り付けられた状態を示す側面図。
【発明を実施するための形態】
【００２６】
＜第１実施形態＞
以下、本発明の第１実施形態について図１〜４を参照しながら説明する。
【００２７】
本実施形態にかかる保持具１は、電柱に設置された変圧器と高圧配電線との間の電路に設置される高圧カットアウトを、電柱に備えられた腕金に取り付ける際に用いられるものである。前記腕金は、長手方向が水平な状態となるように電柱に取り付けられており、該腕金に取り付けられた状態の前記保持具１が高圧カットアウトを保持するように構成されている。
【００２８】
ここで、本実施形態にかかる保持具１が対象とする高圧カットアウトについて説明する。保持具１が対象とする高圧カットアウトは、図１に示すように、筒型又は箱型の形状を有するものである。筒型の高圧カットアウトＡ１は、図１（ａ）に示すように、円筒形状に形成された筒状本体部Ａ１０を備え、該筒状本体部Ａ１０の軸線が上下方向となるように腕金に取り付けられる。
【００２９】
また、筒型の高圧カットアウトＡ１は、保持具１と連結可能に構成された連結金具Ａ１１を備えている。該連結金具Ａ１１は、前記筒状本体部Ａ１０から一方向に延出するように備えられている。具体的には、連結金具Ａ１１は、筒状本体部Ａ１０の軸線に対して略直交する方向に延出するように構成されている。即ち、連結金具Ａ１１は、筒型の高圧カットアウトＡ１が腕金に取り付けられた状態で、略水平方向に延出するように構成されている。
【００３０】
前記連結金具Ａ１１は、筒状本体部Ａ１０とは別体として構成され、筒状本体部Ａ１０の略中央部に取り付けられている。また、連結金具Ａ１１は、延出する方向の端部（先端部）が保持具１と連結可能に構成されている。具体的には、連結金具Ａ１１の先端部には、ボルト及びナット等からなる連結手段Ａ１２が備えられ、該連結手段Ａ１２によって保持具１に連結されるように構成されている。
【００３１】
前記筒型の高圧カットアウトＡ１は、落雷などの影響によるサージ電流が流れ込んだ際に、サージ電流を外部へ放電させることで変圧器を保護する放電部Ａ１３を備えている。該放電部Ａ１３は、筒状本体部Ａ１０の下端部から突出するように構成され、内部にＺｎＯ素子が備えられている。また、前記放電部Ａ１３は、前記連結金具Ａ１１が延出する方向に沿って突出ように構成されている。即ち、放電部Ａ１３は、筒型の高圧カットアウトＡ１が保持具１に保持された状態で、保持具１側に突出するように構成されている。そして、サージ電流が筒型の高圧カットアウトＡ１に流れ込んだ際に、放電部Ａ１３の先端部から保持具１側へ放電されるように構成されている。つまり、放電部Ａ１３は、避雷器として働くように構成されている。
【００３２】
一方、前記箱型の高圧カットアウトＡ２は、図１（ｂ）に示すように、箱状に形成された箱状本体部Ａ２０を備え、保持具１を介して腕金に取り付けられた状態で、箱状本体部Ａ２０の下端部が上端部よりも腕金側に位置するように構成されている。
【００３３】
前記箱型の高圧カットアウトＡ２は、保持具１と連結可能に構成された連結金具Ａ２１を備えている。該連結金具Ａ２１は、箱状本体部Ａ２０の上端部から一方向に延出するように構成されている。また、連結金具Ａ２１は、延出する方向の端部（先端部）にボルト及びナット等からなる連結手段Ａ２２が備えられ、該連結手段Ａ２２によって保持具１に連結されるように構成されている。また、連結金具Ａ２１は、箱状本体部Ａ２０とは別体として形成され、箱状本体部Ａ２０に取り付けられている。
【００３４】
前記箱型の高圧カットアウトＡ２は、筒型の高圧カットアウトＡ１と略同様に構成された放電部Ａ２３を備えている。該放電部Ａ２３は、箱型の高圧カットアウトＡ２が腕金に取り付けられた状態で、箱状本体部Ａ２０の下端部から下方に向かって突出するように構成されている。また、箱型の高圧カットアウトＡ２は、前記放電部Ａ２３との間で放電を行なわせるための放電部材Ａ２４を備えている。該放電部材Ａ２４は、金属製の素材を用いて板状に形成され、一端部が放電部Ａ２３の先端部に対峙するように構成されると共に、他端部が前記連結金具Ａ２１と一体的に形成されている。
【００３５】
次に、本実施形態にかかる保持具１について説明する。保持具１は、図２に示すように、前記高圧カットアウトＡ１，Ａ２を連結して保持する保持具本体２と、該保持具本体２を腕金に取り付けるための取付部３とから構成されている。
【００３６】
前記保持具本体２は、保持具１が腕金に取り付けられた状態で、腕金よりも上方に位置するように構成されている。具体的には、保持具本体２は、腕金よりも上端部が上方に位置するように上下方向に沿って形成された起立部２０と該起立部２０の上端部から略水平方向に延出するように形成された延出部２１とから構成されている。
【００３７】
前記起立部２０は、下端部が取付部３に連結されている。即ち、起立部２０は、取付部３から上方に向かって延出するように（具体的には、略垂直に延出するように）構成されている。起立部２０が取付部３から延出する長さ（上端部から下端部までの長さ）ｈとしては、特に限定されるものではないが、１００〜２００ｍｍ程度であることが好ましい。前記起立部２０は、金属製の素材を用いて板状に形成され、前記延出部２１及び取付部３と一体的に形成されている。
【００３８】
前記延出部２１は、延出方向に沿った一方向の一端部（基端部）が前記起立部２０の上端部に連結され、他端部（先端部）に高圧カットアウトＡ１，Ａ２を連結可能に構成されている。また、延出部２１は、先端部に高圧カットアウトＡ１，Ａ２が連結された状態において、高圧カットアウトＡ１，Ａ２が腕金（より詳しくは、取付部３）から水平方向に離間した状態となるように構成されている。即ち、延出部２１は、先端部に連結された高圧カットアウトＡ１，Ａ２が取付部３から水平方向に離間した状態となるように起立部２０の上端部から延出するように形成されている。延出部２１が起立部２０の上端部から延出する長さ（延出部２１の基端部から先端部までの長さ）Ｗとしては、特に限定されるものではないが、１５０〜２５０ｍｍ程度であることが好ましい。
【００３９】
前記延出部２１は、先端部が高圧カットアウトＡ１，Ａ２に備えられた連結金具Ａ１１，Ａ２１と連結可能に構成されている。具体的には、延出部２１の先端部と連結金具Ａ１１，Ａ２１とは、連結手段Ａ１２，Ａ２２によって連結されるように構成されている。本実施形態では、延出部２１の先端部には、連結手段Ａ１２，Ａ２２を構成するボルト部材を差し入れ可能に構成された貫通孔２１ａが形成されている。該貫通孔２１ａは、延出部２１の先端部を上下方向に貫通するように形成されている。
【００４０】
前記延出部２１は、金属製の素材を用いて板状に形成され、水平な状態で起立部２０の上端部と一体的に連結されている。
【００４１】
上記のように構成された保持具本体２は、起立部２０と延出部２１とが略直角を成すように連結されており、断面形状が逆Ｌ字状となるように構成されている。そして、保持具本体２は、延出部２１に連結された高圧カットアウトＡ１，Ａ２が腕金（詳しくは、取付部３）から水平方向に離間した状態となるように構成されている。
【００４２】
また、保持具本体２は、起立部２０と延出部２１との連結部分に補強部２３を備えている。該補強部２３は、起立部２０と延出部２１との間に備えられ、延出部２１に連結された高圧カットアウトＡ１，Ａ２の重量を支えるように構成されている。これにより、起立部２０と延出部２１との成す角度（具体的には、略直角）を維持することが可能となっている。
【００４３】
前記取付部３は、前記腕金を長手方向に直交する方向から挟み込むように構成されている。具体的には、取付部３は、腕金を挟み込む一対の挟込部３０，３０と、該一対の挟込部３０，３０を連結する連結部３１とを備えている。更に、本実施形態では、取付部３は、一対の挟込部３０，３０の間に配置された腕金に一対の挟込部３０，３０を押し付けるように構成された挟込手段３２を備えている。
【００４４】
前記一対の挟込部３０，３０は、金属製の素材を用いて板状に形成され、間隔を空けて対向するように配置されている。また、一対の挟込部３０，３０は、上下方向に沿って起立した状態で配置されている。また、一対の挟込部３０，３０は、前記延出部２１が延出する方向に沿って並列して配置されている。
【００４５】
また、本実施形態では、一方の挟込部３０の上端部と前記起立部２０の下端部とが連結されている。具体的には、一対の挟込部３０，３０のうち、延出部２１の延出方向側（即ち、高圧カットアウトＡ１，Ａ２が連結される側）に位置する一方の挟込部３０の上端部と、起立部２０の下端部とが連結されている。また、該一方の挟込部３０と起立部２０とは、一体的に連結されて一枚の板状となっている。
【００４６】
前記連結部３１は、一対の挟込部３０，３０の端部同士を連結するように構成されている。具体的には、連結部３１は、一対の挟込部３０，３０の上端部同士を連結するように構成されている。また、連結部３１は、板状の形状を有し、略水平な状態で配置されている。そして、連結部３１は、延出部２１の延出方向に沿った一方向の両端部が一対の挟込部３０，３０と連結されている。また、連結部３１は、一対の挟込部３０，３０と一体的に連結されている。これにより、取付部３は、下方に向かって開放する凹状の形状となっている。
【００４７】
本実施形態では、連結部３１は、前記一方向の両端部のうち、一端部が前記起立部２０の下端部と連結されている。具体的には、連結部３１の前記一方向の両端部のうち、延出部２１の延出方向側（即ち、高圧カットアウトＡ１，Ａ２が連結される側）の一端部が起立部２０の下端部と連結されている。また、連結部３１の前記一方向の一端部及び起立部２０の下端部は、一体的に連結されている。即ち、連結部３１と起立部２０とは、略直角をなすように一体的に連結されている。また、連結部３１と起立部２０との間には、起立部２０と延出部２１との間には備えられた補強部２３と同様の補強部２４が備えられている。
【００４８】
前記挟込手段３２は、一対の挟込部３０，３０を腕金に押し付けるように構成されている。具体的には、挟込手段３２は、一対の挟込部３０，３０を貫通するボルト部材３２ａと、該ボルト部材３２ａの先端部に螺合されるナット部材３２ｂとから構成されている。
【００４９】
前記ボルト部材３２ａは、一対の挟込部３０，３０の下端部を貫通するように配置されている。即ち、ボルト部材３２ａと連結部３１との間には間隔が形成されるように構成されている。本実施形態では、ボルト部材３２ａは、起立部２０と一体的に連結された一方の挟込部３０側から他方の挟込部３０側に向かって、一対の挟込部３０，３０を貫通するように構成されている。
【００５０】
前記ナット部材３２ｂは、一対の挟込部３０，３０を貫通した状態のボルト部材３２ａの先端部に螺合される。本実施形態では、一対の挟込部３０，３０のうち、他方の挟込部３０から突出したボルト部材３２ａの先端部に螺合される。
【００５１】
前記保持具１は、図３に示すように、延出部２１に連結された筒型の高圧カットアウトＡ１との間で放電を行なわせるための放電部材４を取り付け可能に構成されている。該放電部材４は、導電性を有する素材を用いて形成され、筒型の高圧カットアウトＡ１に備えられた放電部Ａ１３からサージ電流を放電させるように構成されている。
【００５２】
放電部材４は、保持具１に取り付けられた状態で、延出部２１の延出方向に向かって突出するように構成されている。具体的には、放電部材４は、保持具１に取り付けられるベース部４０と、該ベース部４０に取り付けられる突出片４１とから構成されている。
【００５３】
前記ベース部４０は、保持具１に取り付けられて固定される固定部４０ａと、前記突出片４１が取り付けられる突出片取付部４０ｂとから構成されている。前記固定部４０ａは、板状の形状を有し、前記延出部２１よりも下方位置に取り付けられる。即ち、放電部材４は、延出部２１よりも下方位置に取り付け可能に構成されている。
【００５４】
本実施形態では、固定部４０ａは、取付部３に取り付けられる。具体的には、固定部４０ａは、一方の挟込部３０に固定される。具体的には、固定部４０ａは、ボルト部材３２ａによって挟込部３０に固定される。より詳しくは、固定部４０ａは、厚み方向に貫通するように形成されて前記ボルト部材３２ａの軸部が差し入られるボルト差入溝４０ｃを備え、該ボルト差入溝４０ｃにボルト部材３２ａの軸部が差し入られた状態で、一方の挟込部３０とボルト部材３２ａの頭部との間に挟み込まれるように構成されている。
【００５５】
前記ボルト差入溝４０ｃは、上下方向に沿って形成された上下溝４０ｄと、該上下溝４０ｄと連なるように形成されて固定部４０ａの外部から上下溝４０ｄにボルト部材３２ａの軸部を導くように構成された導入溝４０ｅとから構成されている。本実施形態では、上下溝４０ｄの上端部に連通するように導入溝４０ｅが形成されると共に、上下溝４０ｄと導入溝４０ｅとが直交するように形成されている。そして、導入溝４０ｅが固定部４０ａの外部と連通するように形成され、ボルト部材３２ａの軸部を上下溝４０ｄに導入可能となっている。
【００５６】
前記上下溝４０ｄ及び導入溝４０ｅは、ボルト部材３２ａの軸部の直径よりも幅広となるように形成されている。これにより、導入溝４０ｅを通して上下溝４０ｄの内側にボルト部材３２ａの軸部を配置することができ、この状態で、固定部４０ａがボルト部材３２ａに対して上下方向に相対移動可能となる。
【００５７】
前記突出片取付部４０ｂは、板状の形状を有し、延出部２１の延出方向に向かって（高圧カットアウトＡ１が連結される側に向かって）固定部４０ａから延出するように構成されている。具体的には、突出片取付部４０ｂは、固定部４０ａの下端部から略水平方向に延出するように形成されている。また、突出片取付部４０ｂは、突出片４１を取付可能に構成されている。具体的には、突出片取付部４０ｂは、上下方向（厚み方向）に沿って貫通する貫通孔を備え、該貫通孔にボルト部材４０ｆを差し入れ可能に構成されている。該ボルト部材４０ｆの先端部には、ナット部材４０ｇが螺合されるように構成されている。
【００５８】
前記突出片４１は、板状の形状を有し、前記突出片取付部４０ｂが延出する方向に沿って突出片取付部４０ｂから突出するように構成されている。具体的には、突出片４１は、突出片取付部４０ｂに取り付けられた状態で突出片取付部４０ｂから略水平方向に突出するように構成されている。また、突出片４１は、上下方向に貫通すると共に突出方向に沿って形成され、突出片４１の突出量を調整可能とする突出量調整溝４１ａを備えている。該突出量調整溝４１ａは、ボルト部材４０ｆの軸部の直径よりも幅広となるように形成されている。
【００５９】
そして、突出片取付部４０ｂ上に突出片４１を配置した状態で、突出片取付部４０ｂに形成された貫通孔と突出量調整溝４１ａとにボルト部材４０ｆを通し、ボルト部材４０ｆの先端部にナット部材４０ｇを螺合させて締め込むことで、突出片取付部４０ｂに突出片４１が固定される。また、ナット部材を緩めることで、突出量調整溝４１ａが形成された方向に沿って、突出片取付部４０ｂに対して突出片４１を相対移動させることができ、突出量の調整が可能となる。
【００６０】
上記のように構成された放電部材４は、図３（ｂ）に示すように、保持具１に取り付けられる。この状態において、ボルト部材３２ａの軸部は、上下溝４０ｄの内側に位置し、ナット部材３２ｂを緩めることで、放電部材４を保持具１に対して上下方向相対移動させることができる。また、ボルト部材４０ｆの先端部に螺合されたナット部材を緩めることで、突出片４１の突出量を調整することができる。即ち、前記放電部材４は、突出する方向の端部（突出片４１の先端部）の高さ位置と突出量とを調節可能に構成されている。
【００６１】
次に、上記のような構成の保持具１を介して高圧カットアウトＡ１，Ａ２を腕金Ｂに取り付ける際の手順について説明する。本実施形態に係る腕金Ｂは、長手方向が水平な状態となるように電柱に取り付けられたものであり、断面形状が略四角形状となるように形成されている。
【００６２】
まず初めに、延出部２１の先端部に高圧カットアウトＡ１，Ａ２の連結金具Ａ１１，Ａ２１を連結する。具体的には、延出部２１の先端部に形成された貫通孔２１ａに、連結金具Ａ１１，Ａ２１に備えられた連結手段Ａ１２，Ａ２２を構成するボルト部材を差し入れる。そして、該ボルト部材の先端部にナット部材を螺合させて締め込むことで、延出部２１と高圧カットアウトＡ１，Ａ２とを連結する。この際、高圧カットアウトＡ１，Ａ２は、延出部２１の延出する方向に取付部３から離間した状態となる。
【００６３】
そして、高圧カットアウトＡ１，Ａ２が連結された状態の保持具１を腕金Ｂに取り付ける。具体的には、取付部３からボルト部材３２ａを取り外した状態で、腕金Ｂの上方から腕金Ｂを一対の挟込部３０，３０の間に差し込む。この際、連結部３１は、腕金Ｂに上方から当接した状態となると共に、一対の挟込部３０，３０は、腕金Ｂに水平方向から当接した状態となる。これにより、挟込手段３２による挟み込みを行なう前であっても、保持具１が腕金Ｂから意図せずに外れてしまうのを抑制することができ、保持具１によって高圧カットアウトＡ１，Ａ２が保持された状態となる。この際、高圧カットアウトＡ１，Ａ２は、保持具１に保持された状態で腕金Ｂから略水平方向に離間した状態となる。
【００６４】
次に、一対の挟込部３０，３０の下端部に前記ボルト部材３２ａを取り付ける。この状態において、腕金Ｂは、一対の挟込部３０，３０と連結部３１とボルト部材３２ａの軸部とによって外周が覆われた状態となる。そして、ボルト部材３２ａの先端部にナット部材３２ｂを螺合させて締め込むことで、一対の挟込部３０，３０を腕金Ｂに密着させ、一対の挟込部３０，３０で腕金Ｂを挟み込む。これにより、保持具１が腕金Ｂに固定され、高圧カットアウトＡ１，Ａ２が保持具１を介して腕金Ｂに取り付けられた状態となる。
【００６５】
また、図４（ａ）に示すように、筒型の高圧カットアウトＡ１が放電部Ａ１３を備える場合には、前記放電部材４を取付部３に取り付ける。この際、前記突出片４１の先端部と放電部Ａ１３の先端部との間に所定の間隔が形成されるように調整する。具体的には、挟込手段３２のナット部材３２ｂを締め込む前に、ボルト部材３２ａの頭部と挟込部３０との間に位置するボルト部材３２ａの軸部を導入溝４０ｅを通して上下溝４０ｄの内側に配置する。
【００６６】
そして、放電部材４を保持具１に対して上下方向に相対移動させて突出片４１の先端部の上下方向の位置を調整し、ナット部材３２ｂを締め込んで保持具１を腕金Ｂに固定すると共に、放電部材４を取付部３に固定する。次に、突出片４１を突出片取付部４０ｂに固定するボルト部材４０ｆの先端部に螺合されたナット部材を緩め、突出片４１の突出量を調整した後、該ナット部材を締め込んで固定する。これにより、突出片４１の先端部と放電部Ａ１３の先端部との間に所定の間隔が形成される。
【００６７】
一方、図４（ｂ）に示すように、箱型の高圧カットアウトＡ２に放電部Ａ２３が備えられている場合には、箱型の高圧カットアウトＡ２に放電部材Ａ２４が備えられているため、保持具１から放電部材４を取り外した状態で保持具１に箱型の高圧カットアウトＡ２を連結する。
【００６８】
以上のように、本発明にかかる保持具１によれば、筒型及び箱型の高圧カットアウトＡ１，Ａ２の両方に対して汎用的に使用することができる。
【００６９】
即ち、前記保持具１は、前記延出部２１に連結された状態の高圧カットアウトＡ１，Ａ２が腕金Ｂから水平方向に離間した状態となるように保持具本体２が構成されていることで、高圧カットアウトＡ１，Ａ２が筒型であっても、箱型であっても、延出部２１に連結された状態で腕金Ｂや保持具１と接触することがないため、筒型及び箱型の高圧カットアウトＡ１，Ａ２の双方に対して汎用的に使用することができる。このため、高圧カットアウトＡ１，Ａ２の種類に応じて保持具１を選択する必要をなくすことができ、腕金Ｂに高圧カットアウトＡ１，Ａ２を取り付ける際の作業性を向上させることができる。
【００７０】
また、延出部２１よりも下方位置に放電部材４が取り付け可能であることで、筒型の高圧カットアウトＡ１がＺｎＯ素子を備える放電部Ａ１３を備えている場合には、放電部材４を取り付けて使用し、放電部Ａ１３を備えていない場合には、放電部材４を取り外して使用することができる。
【００７１】
また、箱型の高圧カットアウトＡ２を保持する場合には、箱型の高圧カットアウトＡ２自体が放電部材Ａ２４を備えているため、放電部材４を取り付けずに使用することができる。即ち、必要に応じて放電部材４の着脱を行なうことができ、放電部Ａ１３，Ａ２３の有無に関わらず汎用的に使用することができる。
【００７２】
また、取付部３が腕金Ｂを長手方向に略直交する方向から挟み込むように構成されていることで、容易に保持具１を腕金Ｂに取り付けることができ、高圧カットアウトＡ１，Ａ２を腕金Ｂに取り付ける際の作業性を向上させることができる。
【００７３】
また、一体的に形成された取付部３が一体的に形成された保持具本体２とが一体的に連結されていることで、保持具１の略全体が一体的に形成されるため、保持具１を構成する部材を少なくすることができ、保持具１を組み立てる時間を削減することができる。
【００７４】
また、前記放電部材４が高圧カットアウトＡ１側へ突出するように形成されると共に、突出する方向の端部（先端部）の高さ位置と突出量とを調整可能に構成されていることで、放電部材４の先端部と高圧カットアウトＡ１との間隔を所定の間隔に調整することができる。これにより、高圧カットアウトの種類や製造メーカーの違いによって、放電間隔が異なる場合であっても、適切な放電間隔に調整することができ、高圧カットアウトの種類や製造メーカーの違いに影響されることなく汎用的に使用することができる。
【００７５】
＜第２実施形態＞
次に、本願発明の第２実施形態について、図５を参照しながら説明する。第２実施形態に係る保持具１は、第１実施形態に係る保持具１と比較して、主に取付部５の構成が異なるものである。従って、以下では、第１実施形態と異なる点について説明し、同一の構成については同一の符号を付すこととして説明を省略する。
【００７６】
本実施形態に係る取付部５は、一対の挟込部５０，５０が、第１実施形態の一対の挟込部３０，３０と異なり、略水平方向に沿った状態で配置されている。即ち、一対の挟込部５０，５０は、上下方向に間隔を空けて並列して配置されている。また、一対の挟込部５０，５０を連結する連結部５１は、第１実施形態の連結部３１と異なり、上下方向に沿って起立した状態で配置されている。
【００７７】
即ち、一対の挟込部５０，５０は、連結部５１の上下方向の両端部から略水平方向に延出するように形成されている。より詳しくは、一対の挟込部５０，５０は、連結部５１の上下方向の両端部から延出部２１の延出方向に対向する方向に延出するように形成されている。即ち、取付部５は、延出部２１の延出方向に対向する水平方向に向かって開放するように凹状に形成されている。
【００７８】
一対の挟込部５０，５０のうち上方に位置する挟込部５０の一端部（連結部５１と連結する端部）と起立部２０の下端部とが一体的に連結されている。また、連結部５１の上端部と起立部２０の下端部とが一体的に連結されている。
【００７９】
また、一対の挟込部５０，５０における連結部５１から離れた側の端部（先端部）には、挟込手段３２が備えられている。本実施形態では、ボルト部材３２ａが上下方向に沿って一対の挟込部５０，５０を貫通するように配置され、上端部にナット部材３２ｂが螺合される。
【００８０】
前記連結部５１の下端部には、前記放電部材４を取り付け可能に構成された放電部材取付部５２が形成されている。該放電部材取付部５２は、連結部５１の下端部から下方に向かって延出するように形成されている。即ち、放電部材取付部５２は、一対の挟込部５０，５０のうち下方に位置する挟込部５０よりも下方に延出するように形成されている。
【００８１】
前記放電部材取付部５２は、板状の形状を有し、ボルト部材５２ａが厚み方向に貫通するように備えられており、該ボルト部材５２ａの先端部にナット部材５２ｂが螺合される。前記ボルト部材５２ａの軸部の直径は、前記上下溝４０ｄ及び導入溝４０ｅの幅よりも小さく形成されている。
【００８２】
上記のような構成の保持具１を腕金Ｂに取り付ける際には、延出部２１に高圧カットアウトＡ１，Ａ２が連結された状態で、腕金Ｂに対して水平方向から腕金Ｂを一対の挟込部５０，５０の間に差し込む。この際、一対の挟込部５０，５０のうち、上方に位置する挟込部５０が腕金Ｂに上方から当接した状態となると共に、連結部５１が腕金Ｂに水平方向から当接した状態となる。そして、一対の挟込部５０，５０の先端部を貫通するようにボルト部材３２ａを取り付け、ボルト部材３２ａの先端部にナット部材３２ｂを螺合させて締め込むことで、腕金Ｂが一対の挟込部５０，５０によって上下方向から挟み込まれる。これにより、腕金Ｂに保持具１が固定される。
【００８３】
なお、筒型の高圧カットアウトＡ１が、図５（ａ）に示すように、放電部Ａ１３を備える場合には、前記放電部材４を放電部材取付部５２に取り付ける。具体的には、ボルト部材５２ａの頭部と放電部材取付部５２との間に位置するボルト部材５２ａの軸部を導入溝４０ｅを通して上下溝４０ｄの内側に配置する。そして、放電部材４を保持具１に対して上下方向に相対移動させ、突出片４１の先端部の上下方向の位置を調整し、ナット部材５２ｂを締め込むことで、放電部材４が放電部材取付部５２に固定される。
【００８４】
上記のような構成の保持具１によれば、腕金Ｂに対して水平方向から腕金Ｂを一対の挟込部５０，５０の間に差し込むことができるため、腕金Ｂの上方向に他の配電設備や配電線が位置している場合であっても、腕金Ｂへの保持具１の取り付けを容易に行なうことができる。
【００８５】
＜第３実施形態＞
次に、本願発明の第３実施形態について、図６を参照しながら説明する。第３実施形態に係る保持具１は、第１実施形態に係る保持具１と比較して、主に保持具本体２の構成が異なるものである。従って、以下では、第１実施形態と異なる点について説明し、同一の構成については同一の符号を付すこととして説明を省略する。
【００８６】
本実施形態に係る保持具本体２は、第１実施形態と異なり、起立部２０の下端部が、一対の挟込部３０，３０のうち、延出部２１の先端部から離れた側の挟込部３０の上端部に連結されている。これにより、延出部２１の下方位置に取付部３が位置した状態となっている。また、延出部２１が起立部２０の上端部から延出する長さＷは、第１実施形態よりも長くなるように形成されている。
【００８７】
上記のような構成の保持具１によれば、延出部２１に連結された高圧カットアウトＡ１，Ａ２の重量が延出部２１の先端部から離れた側の挟込部３０の上端部及び連結部３１の連結部分に加わることとなる。このため、腕金Ｂの上面でも高圧カットアウトＡ１，Ａ２の重量を支えることができ、一対の挟込部３０，３０の間に腕金Ｂを差し入れた状態を安定させることができる。
【００８８】
なお、本発明に係る保持具は、上記実施形態に限定されるものではなく、本発明の要旨を逸脱しない範囲で種々の変更が可能である。
【００８９】
例えば、上記実施形態では、一対の挟込部３０，３０，５０，５０によって腕金Ｂが挟み込まれるように構成されているが、これに限定されるものではなく、連結部と腕金とがボルト部材によって固定されるようにしてもよい。即ち、取付部が連結部とボルト部材とから構成されるようにしてもよい。
【００９０】
また、第１実施形態では、挟込部３０の上端部に起立部２０が連結されているが、これに限定されるものではなく、連結部の一方向の略中央部に連結されるようにしてもよい。また、第２実施形態では、連結部５１の上端部に起立部２０が連結されているが、これに限定されるものではなく、上側の挟込部の延出方向の略中央部に連結されるようにしてもよい。
【００９１】
また、上記実施形態では、放電部Ａ１３，Ａ２３を備える高圧カットアウトＡ１，Ａ２を対象としているが、これに限定されるものではなく、放電部Ａ１３，Ａ２３を備えない高圧カットアウトを対象としてもよい。この場合には、放電部材４を取り付けずに保持具１に高圧カットアウトＡ１，Ａ２を保持させてもよく、放電部材４を取り付けた状態で高圧カットアウトＡ１，Ａ２を保持させてもよい。
【符号の説明】
【００９２】
１…保持具、２…保持具本体、３…取付部、４…放電部材、２０…起立部、２１…延出部、２１ａ…貫通孔、２３…補強部、２４…補強部、３０…挟込部、３１…連結部、３２…挟込手段、３２ａ…ボルト部材、３２ｂ…ナット部材、４０…ベース部、４０ａ…固定部、４０ｂ…突出片取付部、４０ｃ…ボルト差入溝、４０ｄ…上下溝、４０ｅ…導入溝、４０ｆ…ボルト部材、４１…突出片、４１ａ…突出量調整溝、Ａ１，Ａ２…高圧カットアウト、Ａ１０…筒状本体部、Ａ１１，Ａ２１…連結金具、Ａ１２，Ａ２２…連結手段、Ａ１３，Ａ２３…放電部、Ａ２０…箱状本体部、Ａ２４…放電部材、Ｂ…腕金
【図１】
2011142730.tif 000003
【図２】
2011142730.tif 000004
【図３】
2011142730.tif 000005
【図４】
2011142730.tif 000006
【図５】
2011142730.tif 000007
【図６】
2011142730.tif 000008
【図７】
2011142730.tif 000009